(57)【要約】【目的】製造およびフィルム張設が容易で、しかも緊張力の強いフィルムの固定装置を提供する。【構成】レール状支持部材１０を、温室を構成する骨材１８にビス１７等を用いて固定した後、フィルム（図示せず）をレール状支持部材１０上に載置し、固定部材２０を、支持部材１０の２つの案内辺１４を内側に寄せ、固定部材２０の２つの被案内辺２３を外側に拡げるように、支持部材１０に上から押し込んで、支持部材１０上に固定部材２０を嵌着することによって、フィルム（図示せず）を保持・固定する。この嵌着作業は、いわゆるワンタッチで行うことができる。嵌着後、固定部材２０および支持部材１０の変形部は弾性復元して元の形状に戻り、フィルムは、固定部材２０の上基部２１下面と支持部材１０の上部当接部１５基部の曲げ部１６、および固定部材２０の係止め辺２４上面と支持部材１０の係止め辺１３下面とで強固に圧接保持・固定されることとなる。【選択図】　　　　図５
2004105153.tif 000002
【特許請求の範囲】
【請求項１】
水平な底部（１１）と、該底部（１１）の両端から略垂直に起立する壁部（１２）と、該壁部（１２）の上端で外側に９０度以下の角度Ａで曲げられて伸びる係止め辺（１３）と、該係止め辺（１３）の先端で上記角度Ａ以下の角度で上方内側に曲げられて内側に傾斜した案内辺（１４）と、該案内辺（１４）の先端で９０度以上の角度で曲げられて略水平に伸びる上部当接部（１５）を有する断面形状の支持部材（１０）と、該支持部材（１０）の幅以上の幅を有する上基部（２１）と、該上基部の（２１）両端から９０度以下の角度で曲げられて下方内側に伸びる側基部（２２）と、該側基部（２２）の先端で９０度以下の角度で内側に曲げられて内側上方に伸びる被案内辺（２３）と、該被案内辺（２３）先端で９０度以下の角度で内側に曲げられて側方に伸びる係止め辺（２４）を有する断面形状の固定部材（２０）とからなり、支持部材（１０）と固定部材（２０）が、当該固定部材（２０）の上基部（２１）下面が前記支持部材（１０）の上部当接部（１５）基部の曲げ部（１６）と線接触するとともに、前記固定部材（２０）の係止め辺（２４）上面が前記支持部材（１０）の係止め辺（１３）下面と面接触する位置関係にあることを特徴とするフィルム固定装置。
【請求項２】
水平な底部（１１）と、該底部（１１）の両端から略垂直に起立する壁部（１２）と、該壁部（１２）の上端で外側に９０度以下の角度Ａで曲げられて伸びる係止め辺（１３）と、該係止め辺（１３）の先端で上記角度Ａ以下の角度で上方内側に曲げられて内側に傾斜した案内辺（１４）と、該案内辺（１４）の先端で９０度以上の角度で曲げられて略水平に伸びる上部当接部（１５）を有する断面形状の支持部材（１０）と、該支持部材（１０）の上部当接部（１５）基部間の距離よりも僅かに広い幅の上基部（２１’）と、該上基部（２１’）の両端から９０度以上の角度で下方に曲げられて下方に伸びる側上基部（２２ａ）と、該側上基部（２２ａ）の先端でさらに９０度以上の角度で曲げられて下方内側に伸びる側下基部（２２ｂ）と、該側下基部（２２ｂ）の先端で９０度以下の角度で内側に曲げられて内側上方に伸びる被案内辺（２３）と、該被案内辺（２３）先端で９０度以下の角度で内側に曲げられて側方に伸びる係止め辺（２４）を有する断面形状の固定部材（２０）とからなり、支持部材（１０）と固定部材（２０）が、当該固定部材（２０）の側上基部（２２ａ）内面が前記支持部材（１０）の案内辺（１４）外面と面接触するとともに、前記固定部材（２０）の係止め辺（２４）上面が前記支持部材（１０）の係止め辺（１３）下面と面接触する位置関係にあることを特徴とするフィルム固定装置。
【請求項３】
水平な底部（３１）と、該底部（３１）の両端から９０度以下の角度で曲げられて内側に向けて上方に伸びる側壁部（３２）と、該側壁部（３２）の上端で内側に９０度以下の角度で曲げられて内側下方に伸びる案内辺（３３）と、該案内辺（３３）の先端で９０度以下の角度で内側に曲げられて外方に伸びる支持係止め辺（３４）を有する断面形状の支持部材（３０）と、該支持部材（３０）の案内辺（３３）先端間距離よりも僅かに狭い幅を有する上基部（４１）と、該上基部（４１）の両端から略垂直に垂れた側壁（４２）と、該側壁（４２）の先端で９０度以下の角度で外側に曲げられて外方に伸びる固定係止め辺（４３）と、該固定係止め辺（４３）の先端で９０度以下の角度で内側に曲げられて内側下方に伸びる下方案内辺（４４）と、該下方案内辺（４４）の先端で９０度以上の角度で内側に曲げられて内側略水平に伸びる下当接部（４５）を有する断面形状の固定部材（４０）からなり、支持部材（３０）と固定部材（４０）が、当該固定部材（４０）の固定係止め辺（４３）上面が前記支持部材（３０）の支持係止め辺（３４）と面接触するとともに、前記固定部材（４０）の下当接部（４５）外面が前記支持部材（３０）の底部（３１）内面と面接触する位置関係にあることを特徴とするフィルム固定装置。
【発明の詳細な説明】
【０００１】
【産業上の利用分野】
本発明は、農業用・園芸用等の温室に張設した透光性フィルムを固定装置に関する。
【０００２】
【従来の技術】
透光性フィルムを張設した温室にあっては、フィルムに皺が形成されないようにフィルムを張設する必要がある。
このため、従来、図１，２に示すように、上面の開口部を幅狭にしたシート止着溝１ａを有する長尺支持フレーム１のシート止着溝１ａに、台形波状に屈曲加工された弾性的な係止線条２を、シート３を押し込んだ状態で嵌合させている。また、シート止め材１と係止線条２の間に中レール４ａ，４ｂを介在させ、中レール４ａ，４ｂの全面をフィルムに当接させる態様をとって係止線条２を嵌合させ、フィルムの止着を強固にしている（特開２００１−３０９７２６号公報，特開２００２−１４２５７５号公報参照）。
特開平６−１４６５６号公報では、図３に示すように、固定部材５と支持部材６との間にフィルム３を挟持し、次いで固定部材５の上から固定用ビス７を、フィルム４を貫通してハウス骨材８まで打ち込み、固定部材５と支持部材６とを固定することにより、フィルムを固定することが記載されている。さらに特公平７−１２１１８２号公報では、図４に示すように固定部材５と支持部材６の断面形状を、フィルムの押さえ込み箇所９を増やすように設計変更することにより、緊張力を高めて張設し、皺の発生を防いでいる。
【０００３】
【発明が解決しようとする課題】
前者の特開２００１−３０９７２６号公報，特開２００２−１４２５７５号公報に記載されたような中レール４ａ，４ｂを使用する技術では、一方の中間レールの底部フレームを他方の中間レールのガイド溝に嵌合させるように、また、中間レールの側面を長尺支持フレーム１のシート止着溝１ａ内面に当接させるようにしている。このため部品点数が多くなっている。また、長尺支持フレーム１内への中レール４ａ，４ｂの嵌合作業を必要とするのでフィルムの張設作業が煩雑になり、施工性が悪くなる。このようなことから、全体としてコスト高となる。
【０００４】
後者の特開平６−１４６５６号公報、特公平７−１２１１８２号公報に記載されたような技術では、固定部材５の上から固定用ビス７を、フィルム４を貫通してハウス骨材３まで打ち込み、固定部材５と支持部材６とを固定することにより、フィルム４を固定している。このような態様では、固定部材５そのものが複雑形状になるばかりでなく、固定用ビスを別途必要とするためコスト高になる。また、ビス打ち作業も必要で、作業が煩雑化する。さらに、フィルム４は固定用ビス７で孔が空けられているので、ビス孔から漏水する可能性がある。さらにまた、この孔がビスによるものであるため、切込みが生成されており、風雨によるフィルムの振動等の僅かな張力変化が累積して応力集中を起こし、フィルムが破断しやすいという欠点がある。
本発明は、このような問題を解消すべく案出されたものであり、製造およびフィルム張設が容易で、しかも緊張力の強いフィルム固定装置を提供すること目的とする。
【０００５】
【課題を解決するための手段】
本発明のフィルムの固定装置は、その目的を達成するため、水平な底部１１と、該底部１１の両端から略垂直に起立する壁部１２と、該壁部１２の上端で外側に９０度以下の角度Ａで曲げられて伸びる係止め辺１３と、該係止め辺１３の先端で上記角度Ａ以下の角度で上方内側に曲げられて内側に傾斜した案内辺１４と、該案内辺１４の先端で９０度以上の角度で曲げられて略水平に伸びる上部当接部１５を有する断面形状の支持部材１０と、該支持部材１０の幅以上の幅を有する上基部２１と、該上基部の２１両端から９０度以下の角度で曲げられて下方内側に伸びる側基部２２と、該側基部２２の先端で９０度以下の角度で内側に曲げられて内側上方に伸びる被案内辺２３と、該被案内辺２３先端で９０度以下の角度で内側に曲げられて側方に伸びる係止め辺２４を有する断面形状の固定部材２０とからなり、支持部材１０と固定部材２０が、当該固定部材２０の上基部２１下面が前記支持部材１０の上部当接部１５基部の曲げ部１６と線接触するとともに、前記固定部材２０の係止め辺２４上面が前記支持部材１０の係止め辺１３下面と面接触する位置関係にあることを特徴とする。
【０００６】
また、水平な底部１１と、該底部１１の両端から略垂直に起立する壁部１２と、該壁部１２の上端で外側に９０度以下の角度Ａで曲げられて伸びる係止め辺１３と、該係止め辺１３の先端で上記角度Ａ以下の角度で上方内側に曲げられて内側に傾斜した案内辺１４と、該案内辺１４の先端で９０度以上の角度で曲げられて略水平に伸びる上部当接部１５を有する断面形状の支持部材１０と、該支持部材１０の上部当接部１５基部間の距離よりも僅かに広い幅の上基部２１’と、該上基部２１’の両端から９０度以上の角度で下方に曲げられて下方に伸びる側上基部２２ａと、該側上基部２２ａの先端でさらに９０度以上の角度で曲げられて下方内側に伸びる側下基部２２ｂと、該側下基部２２ｂの先端で９０度以下の角度で内側に曲げられて内側上方に伸びる被案内辺２３と、該被案内辺２３先端で９０度以下の角度で内側に曲げられて側方に伸びる係止め辺２４を有する断面形状の固定部材２０とからなり、支持部材１０と固定部材２０が、当該固定部材２０の側上基部２２ａ内面が前記支持部材１０の案内辺１４外面と面接触するとともに、前記固定部材２０の係止め辺２４上面が前記支持部材１０の係止め辺１３下面と面接触する位置関係にあることを特徴とする。
【０００７】
さらに、水平な底部３１と、該底部３１の両端から９０度以下の角度で曲げられて内側に向けて上方に伸びる側壁部３２と、該側壁部３２の上端で内側に９０度以下の角度で曲げられて内側下方に伸びる案内辺３３と、該案内辺３３の先端で９０度以下の角度で内側に曲げられて外方に伸びる支持係止め辺３４を有する断面形状の支持部材３０と、該支持部材３０の案内辺３３先端間距離よりも僅かに狭い幅を有する上基部４１と、該上基部４１の両端から略垂直に垂れた側壁４２と、該側壁４２の先端で９０度以下の角度で外側に曲げられて外方に伸びる固定係止め辺４３と、該固定係止め辺４３の先端で９０度以下の角度で内側に曲げられて内側下方に伸びる下方案内辺４４と、該下方案内辺４４の先端で９０度以上の角度で内側に曲げられて内側略水平に伸びる下当接部４５を有する断面形状の固定部材４０からなり、支持部材３０と固定部材４０が、当該固定部材４０の固定係止め辺４３上面が前記支持部材３０の支持係止め辺３４と面接触するとともに、前記固定部材４０の下当接部４５外面が前記支持部材３０の底部３１内面と面接触する位置関係にあることを特徴とする。
【０００８】
【実施の態様】
本発明者等は、構造が簡素で、製造およびフィルム張設作業が容易で、しかも緊張力を高く維持できるフィルムの固定装置について検討した。
その結果、素材として金属板を使用し、金属板の弾性復元作用を最大限活用することにより、フィルムの保持・固定力の強い固定構造を見出した。
まず図５を用いて本発明の第１の態様について説明する。本発明固定装置を構成する１つの要素であるレール状支持部材１０は、温室等の骨組みを構成する骨材の上面にビス１７等で固定されるレール状のものである。このレール状支持部材１０の断面形状は、水平な底部１１と、底部１１の両端から略垂直に起立する壁部１２と、両壁部１２の上端で外側に９０度以下の角度Ａで曲げられて伸びる係止め辺１３と、係止め辺１３の先端で上記角度Ａ以下の角度で上方に曲げられ、内側に傾斜した案内辺１４と、案内辺１４の先端で９０度以上の角度で曲げられ、略水平に伸びる上部当接部１５を有する形に成形されている。
この形状は、所定幅に裁断された金属帯を多段のロール成形を行った後、切断することにより成形することができる。また所定幅の金属板を外側から順次多段プレス成形することによっても製造することができる。多段の曲げ加工により、幅方向端面は、内側に曲げ込んだ態様となっているので、切断端面がフィルムに当接して破断の原因となるようなキズを付けることはない。そして、素材として冷延鋼板を用いる場合、０．４〜０．８ｍｍ程度の板厚であれば十分である。
【０００９】
フィルムを固定するため、上記レール状支持部材１０に長尺の固定部材２０を被せる態様を採る。
長尺状の固定部材２０の断面形状は、上記支持部材１０の幅以上の幅を有する上基部２１と、上基部２１の両端から９０度以下の角度で下方内側に伸びる側基部２２と、側基部２２の先端で９０度以下の角度で内側に曲げられ、内側上方に伸びる被案内辺２３と、被案内辺２３の先端で９０度以下の角度で内側に曲げられて側方に伸びる係止め辺２４を有する形に成形されている。この際、各部材を構成する金属板の弾性復元力の作用で、当該固定部材２０の上基部２１下面が前記支持部材１０の上部当接部１５基部の曲げ部１６と線接触するとともに、前記固定部材２０の係止め辺２４上面が前記支持部材１０の係止め辺１３下面と面接触する位置関係になるように寸法調整されている。
【００１０】
固定部材２０の上基部２１を、中央で僅かに折り曲げた山型態様とすることが好ましい。曲げ箇所を多くすることにより、固定部材全体の弾性変形量が大きくなり、嵌合部の広がり幅を大きくすることができて嵌合させやすくなる。しかも嵌合後、全体構造が滑らかになって、外観上、違和感が少なくなる。
この形状も、所定幅に裁断された金属帯を多段のロール成形を行った後、切断することにより成形することができる。また所定幅の金属板を外側から順次多段のプレス成形によっても製造することができる。板厚も前記支持部材と同程度で十分である。金属板の切断端面がフィルムに当接して破断の原因となるようなキズを付けることがないことは、前述した通りである。
【００１１】
なお、係止め辺１３とその先端で上方に曲げられた案内辺１４との曲げ加工部、及び被案内辺２３とその先端で内側に曲げられた係止め辺２４との曲げ加工部のコーナーＲ（曲率）は大きくすることが好ましい。支持部材１０に固定部材２０を嵌め込むとき、曲げ加工部先端同士がフィルムを介して擦れあい、フィルムに傷を付ける危険性があるが、曲げ加工部のコーナーＲを大きくするとその危険性は緩和される。また、フィルムへの応力集中が緩和されるので、展張フィルムの耐久性が向上する。
【００１２】
次に、この固定装置を使用して温室にフィルムを張り付ける態様を説明する。前記したように、所要数のレール状支持部材１０を、温室を構成する骨材１８にビス１７等を用いて固定する。張設する面積にあった寸法のフィルムをレール状支持部材１０上に載置し、順次長尺の固定部材２０を被せて行く。固定部材２０の被着は、支持部材１０の２つの案内辺１４を内側に寄せ、固定部材２０の２つの被案内辺２３を外側に拡げるように、固定部材２０を支持部材１０に上から押し込むことにより行われる。この押し込みは、いわゆるワンタッチで行うことができる。
両部材の素材として、０．４〜０．８ｍｍ程度の冷延鋼板が使用されていると、被着後、固定部材２０および支持部材１０の変形部は弾性復元して元の形状に戻り、フィルムは、固定部材２０の上基部２１下面と支持部材１０の上部当接部１５基部の曲げ部１６、および固定部材２０の係止め辺２４上面と支持部材１０の係止め辺１３下面とで圧接保持されることとなる。
素材金属板の弾性復元力の作用で、固定部材２０の係止め辺２４上面と支持部材１０の係止め辺１３下面との広い面積で保持されるとともに、固定部材２０の上基部２１下面と支持部材１０の上部当接部基部の曲げ部１６とでも保持されているので、保持力が強く、時間が経ても保持力が低下するようなこともない。
【００１３】
さらに、固定部材２０の側基部２２を、請求項２に記載したような構造とすると、すなわち、図６に示すように、上基部２１’の幅を支持部材１０の上部当接部基部１６間の距離よりも僅かに広い幅とし、側基部２２を、上基部２１’の両端から９０度以上の角度で下方に曲げられて下方に伸びる側上基部２２ａと、側上基部の先端でさらに９０度以上の角度で曲げられて下方内側に伸びる側下基部２２ｂとに分割した形状とすると、上記と同様な手順で固定部材２０を支持部材１０に被着後、固定部材２０および支持部材１０の変形部は弾性復元して元の形状に戻り、フィルムは、固定部材２０の側上基部２２ａ内面と支持部材１０の案内辺１４外面、および固定部材２０の係止め辺２４上面と支持部材１０の係止め辺１３下面とで圧接保持されている。
固定部材の折り曲げ箇所を増やすことにより、全体の弾性変形量が大きくなって嵌合させ易くなることは前記した通りである。
固定部材２０の係止め辺２４上面と支持部材１０の係止め辺１３下面との広い面積で保持されるとともに、固定部材２０の側上基部２２ａ内面と支持部材１０の案内辺１４外面との広い面積でも保持されているので、保持力がさらに強く、時間が経ても保持力が低下するようなこともない。
【００１４】
さらに、図７に基づいて他の構造の固定装置について説明する。
本発明固定装置を構成する１つの要素である固定装置３０は、温室等の骨組みを構成する骨材３８の上面にビス３７等で固定されるレール状のものである。このレール状支持部材３０の断面形状は、水平な底部３１と、この底部３１の両端から９０度以下の角度で曲げられて内側に向けて上方に伸びる側壁部３２と、この側壁部３２の上端で内側に９０度以下の角度で曲げられて内側下方に伸びる案内辺３３と、この案内辺３３の先端で９０度以下の角度で内側に曲げられて外方に伸びる支持係止め辺３４を有する形に成形されている。
この形状は、所定幅に裁断された金属帯を多段のロール成形を行った後、切断することにより成形することができる。また所定幅の金属板を外側から順次多段プレス成形することによっても製造することができる。多段の曲げ加工により、幅方向端面は、内側に曲げ込んだ態様となっているので、切断端面がフィルムに当接して破断の原因となるようなキズを付けることはない。そして、素材として冷延鋼板を用いる場合、０．４〜０．８ｍｍ程度の板厚であれば十分である。
【００１５】
フィルムを固定するため、上記レール状支持部材３０に長尺の固定部材４０を被せる態様を採る。
長尺の固定部材４０の断面形状は、上記支持部材３０の案内辺３３先端間距離よりも僅かに狭い幅を有する上基部４１と、この上基部４１の両端から略垂直に垂れた２つの側壁４２と、この側壁４２の先端で９０度以下の角度で外側に曲げられて外方に伸びる固定係止め辺４３と、この固定係止め辺４３の先端で９０度以下の角度で内側に曲げられて内側下方に伸びる下方案内辺４４と、この下方案内辺４４の先端で９０度以上の角度で内側に曲げられて内側略水平に伸びる下当接部４５を有する形に成形されている。なお、下当接部４５の先端は内側に僅かに曲げられていることが好ましい。
この際、各部材を構成する金属板の弾性復元力の作用で、当該固定部材４０の固定係止め辺４３上面が前記支持部材３０の支持係止め辺３４と面接触するとともに、前記固定部材４０の下当接部４５外面が前記支持部材３０の底部３１内面と面接触する位置関係になるように寸法調整されている。
この形状も、所定幅に裁断された金属帯を多段のロール成形を行った後、切断することにより成形することができる。また所定幅の金属板を外側から順次多段プレス成形することによっても製造することができる。板厚も前記支持部材と同程度で十分である。金属板の切断端面がフィルムに当接して破断の原因となるようなキズを付けることがないことは、前述した通りである。
【００１６】
次に、この固定装置を使用して温室にフィルムを張り付ける態様を説明する。前記したと同様に、所要数のレール状支持部材３０を、温室を構成する骨材３８にビス３７等を用いて固定する。張設する面に沿った形状に裁断されたフィルムをレール状支持部材３０上に載置し、順次長尺の固定部材４０を押込んで行く。固定部材４０の被着は、固定部材４０の下方案内辺４４で、支持部材３０の２つの案内辺３３を外側に押し広げ、固定部材４０の２つの下方案内辺４４を内側に寄せるように、固定部材４０を支持部材３０に上から押し込むことにより行われる。この押し込みは、いわゆるワンタッチで行うことができる。
両部材の素材として、０．４〜０．８ｍｍ程度の冷延鋼板が使用されていると、被着後、固定部材４０および支持部材３０の変形部は弾性復元して元の形状に戻り、フィルムは、固定部材４０の固定係止め辺４３上面と支持部材３０の支持係止め辺３４下面との間、および固定部材４０の下当接部４５外面と支持部材３０の底部３１内面との間で圧接保持されることとなる。
素材金属板の弾性復元力の作用で、固定部材４０の固定係止め辺４３上面と支持部材３０の支持係止め辺３４下面との広い面積で保持されるとともに、固定部材４０の下当接部４５外面と支持部材３０の底部３１内面の広い面積で保持されているので、保持力が強く、時間が経ても保持力が低下するようなこともない。なお、支持部材３０の支持係止め辺３４の基部および固定部材４０の固定係止め辺４３の先端での曲げ加工部のコーナーＲ（曲率）は、前記態様と同様、大きくすることが好ましい。
【００１７】
固定部材２０，４０および支持部材１０，３０を構成する金属板素材としては、アルミニウム合金板、ステンレス鋼板等も使用できるが、安価で成形性に優れ弾性復元力の大きい板厚０．４〜０．８ｍｍ程度の冷延鋼板を使用することが好ましい。さらに耐食性の観点から、塗装鋼板，めっき鋼板、特にＺｎ−Ａｌ−Ｍｇ系の溶融めっき鋼板を使用することが好ましい。骨材１８、３８を構成する素材としても、支持部材１０，３０との接触面の耐食性改善のために、Ｚｎ−Ａｌ−Ｍｇ系溶融めっき鋼板を使用することが好ましい。
所定幅の金属帯，金属板が幅方向に順次曲げ加工され、切断端部は最内側に曲げられており、端部は露出していない構造になっているので、素材として塗装鋼板あるいはめっき鋼板を使用したものであっても、端部から腐食するようなことはない。
【００１８】
【発明の効果】
以上に説明したように、本発明においては、支持部材と固定部材との当接箇所と面積を多くかつ広く取ることができるため、フィルムを強固に保持・固定することができる。また、支持部材と固定部材の高さ方向のサイズ調整により緊張力を調整することができるため、フィルム張設時に皺の生成を防止することができ、しかも、上記のように強固に保持・固定できるので時間が経ても皺が発生するようなことはない。さらに、支持部材への固定部材の被着・嵌合は、板材を素材としてため、板材の弾性復元を最大限活用してワンタッチで行え、作業効率も極めてよくなる。さらにまた、本発明によるフィルムの固定装置を構成する支持部材、固定部材のいずれもが、金属板を順次折り曲げて製造された構造となっているので、コスト安で製造することができる。しかも、フィルムが素材金属板の切断端面に触れることがないのでフィルムのキズ付き防止構造となっているばかりでなく、素材端面が雨水に曝されることがないので、素材金属板として塗装鋼板やめっき鋼板を使用した際、端面からの腐食を押えることもでき、耐久性に優れた温室を構築することができる。
【図面の簡単な説明】
【図１】従来のフィルム固定方法を説明する図
【図２】従来のフィルム固定構造の断面図
【図３】従来のフィルム固定方法の他の例を説明する図
【図４】従来のフィルム固定構造の他の断面図
【図５】本発明のフィルム固定装置を説明する断面図
【図６】本発明のフィルム固定装置の変形態様を説明する断面図
【図７】本発明の他のフィルム固定装置を説明する断面図
【符号の説明】
１０：支持部材　　１１：低部　　１２：壁部　　１３：係止め辺
１４：案内辺　　１５：上部当接部
２０：固定部材　　２１，２１’：上基部　　２２：側基部
２２ａ：側上基部　　２２ｂ：側下基部　　２３：被案内辺　　２４：係止め辺
３０：支持部材　　３１：底部　　３２：側壁部　　３３：案内辺
３４：支持係止め辺
４０：固定部材　　４１：上基部　　４２：側壁　　４３：固定係止め辺
４４：下方案内辺　　４５：下当接部
【図１】
2004105153.tif 000003
【図２】
2004105153.tif 000004
【図３】
2004105153.tif 000005
【図４】
2004105153.tif 000006
【図５】
2004105153.tif 000007
【図６】
2004105153.tif 000008
【図７】
2004105153.tif 000009